【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
背骨Ｓ側に固定された縦の所定長さを有する背骨用支持部材５と、背骨用支持部材５の上下中間所定位置に取付可能な背骨側固定部材２と、背骨側固定部材２に対して横方向に移動自在の肋骨側固定部材１とを横向きＴ型形状に配置し、背骨側固定部材２に対して背骨Ｓと交差する方向の所定位置にて肋骨側固定部材１を固定しうる構成とし、肋骨側固定部材１には、一部の肋骨Ｒの上下何れか一方側に当接する把持部および肋骨Ｒの上下何れか他方側に当接する把持部とを備え、上下一対の把持部のうち少なくとも一方の把持部は肋骨側固定部材１に対して上下位置調節自在に設けた医療器具。
【請求項２】
請求項１において、肋骨側固定部材１の部位には、背骨側固定部材２に設けた横方向に長い挿入部３６を移動自在に挿入しうる横方向に長い挿入孔３５と、挿入部３６を固定する固定螺子３７とを設け、固定螺子３７により背骨側固定部材２に対して所定位置にて肋骨側固定部材１を固定しうる構成とした医療器具。
【請求項３】
請求項１または請求項２において、肋骨側固定部材１には、肋骨側固定部材１を挟んで上下にそれぞれ突き出でるように固定側把持部７と移動側把持部８とを設けた医療器具。
【請求項４】
請求項１〜請求項３において、肋骨側固定部材１に設けた固定側把持部７と移動側把持部８とは、その先端の当接部を肋骨Ｒの断面形状に合わせた円弧形状に形成した医療器具。
【請求項５】
請求項１〜請求項４において、背骨側固定部材２と反対側の肋骨側固定部材１には、移動側把持部８の軸棒部１４が嵌合する溝部２０と、該溝部２０に嵌合させた移動側把持部８の軸棒部１４を固定する把持部固定用螺子１１が螺合される肋骨側雌螺子孔１０とを備えて構成した医療器具。
【請求項６】
請求項１〜請求項５において、固定側把持部７と移動側把持部８とは、固定側把持部７と移動側把持部８の何れか一方が肋骨側固定部材１の上方側に、固定側把持部７と移動側把持部８の何れか他方が肋骨側固定部材１の下方側にそれぞれ突出するように設けた医療器具。
【請求項７】
請求項６において、肋骨Ｒの上下両側に係合した状態の固定側把持部７の当接部１７の先端と移動側把持部８の当接部１５の先端との間には空間を有する構成とした医療器具。
【請求項８】
請求項１〜請求項７において、背骨側固定部材２は背骨Ｓ側にネジ３により直接固定される構成とし、背骨側固定部材２にはネジ３が螺合する背骨側雌螺子孔２５を設けた医療器具。
【請求項９】
請求項８において、背骨側固定部材２に螺合するネジ３は背骨側固定部材２または背骨用支持部材５に対して屈曲あるいは回転自在に構成した医療器具。
【請求項１０】
請求項１〜請求項９において、固定側把持部７と移動側把持部８は基部の直線状の軸棒部と、先端の円弧状の当接部を有して形成し、当接部の一部は軸棒部と同径あるいは軸棒部の径よりも幅広形状に形成した医療器具。
【請求項１１】
請求項１〜請求項１０において、固定側把持部７の当接部は、肋骨側固定部材１の長さ方向に対して先端に至るに従い傾斜させ、当接部の肋骨側固定部材１に対する傾斜角度を肋骨側固定部材１の長さ方向の一方側から他方側に向けて相違するものを複数種類用意し、選択的に肋骨側固定部材１に取付ける構成とした医療器具。
【請求項１２】
請求項１〜請求項１１において、背骨用支持部材５は、直径の相違する複数種類のものを用意し、この直径の相違する背骨用支持部材５に対応するように背骨固定部４０の溝部４２の大きさを相違させた背骨側固定部材２を複数種類用意し、この背骨側固定部材２に肋骨側固定部材１を適宜選択的に組み合わせて取付可能に構成した医療器具。
【請求項１３】
請求項１〜請求項１２において、固定側把持部７と移動側把持部８とは、互いに形状の相違するものを複数種類用意し、選択的に肋骨側固定部材１に取付ける構成とした医療器具。
【請求項１４】
請求項１〜請求項１３において、背骨用支持部材５は背骨Ｓの左右何れか一方側または両側に設け、肋骨側固定部材１と背骨側固定部材２により構成した固定具Ｋを、背骨用支持部材５に一つまたは複数上下に並設して構成した医療器具。
【請求項１５】
請求項１４において、背骨用支持部材５は背骨の左右両側に設け、各背骨用支持部材５には固定具Ｋを上下に複数並設し、左右の固定具Ｋは同じ高さ位置または上下にずらして設けた医療器具。
【請求項１６】
請求項１〜請求項１５において、背骨用支持部材５は背骨Ｓの両側に平行状態に少なくとも左右一対設け、左右の背骨用支持部材５は固定具Ｋ’の背骨固定部４０を介して互いに連結する構成とし、左右の背骨用支持部材５の何れか一方または両方には背骨用支持部材５の対向方向に対し外向きに固定具Ｋの背骨側固定部材２を固定状態に取付けた医療器具。
【手続補正２】
【補正対象書類名】明細書
【補正対象項目名】０００５
【補正方法】変更
【補正の内容】
【０００５】
請求項１の発明は、背骨Ｓ側に固定された縦の所定長さを有する背骨用支持部材５と、背骨用支持部材５の上下中間所定位置に取付可能な背骨側固定部材２と、背骨側固定部材２に対して横方向に移動自在の肋骨側固定部材１とを横向きＴ型形状に配置し、背骨側固定部材２に対して背骨Ｓと交差する方向の所定位置にて肋骨側固定部材１を固定しうる構成とし、肋骨側固定部材１には、一部の肋骨Ｒの上下何れか一方側に当接する把持部および肋骨Ｒの上下何れか他方側に当接する把持部とを備え、上下一対の把持部のうち少なくとも一方の把持部は肋骨側固定部材１に対して上下位置調節自在に設けた医療器具としたものである。
請求項２の発明は、肋骨側固定部材１の部位には、背骨側固定部材２に設けた横方向に長い挿入部３６を移動自在に挿入しうる横方向に長い挿入孔３５と、挿入部３６を固定する固定螺子３７とを設け、固定螺子３７により背骨側固定部材２に対して所定位置にて肋骨側固定部材１を固定しうる構成とした医療器具としたものである。
請求項３の発明は、肋骨側固定部材１には、肋骨側固定部材１を挟んで上下にそれぞれ突き出でるように固定側把持部７と移動側把持部８とを設けた医療器具としたものである。
請求項４の発明は、肋骨側固定部材１に設けた固定側把持部７と移動側把持部８とは、その先端の当接部を肋骨Ｒの断面形状に合わせた円弧形状に形成した医療器具としたものである。
請求項５の発明は、背骨側固定部材２と反対側の肋骨側固定部材１には、移動側把持部８の軸棒部１４が嵌合する溝部２０と、該溝部２０に嵌合させた移動側把持部８の軸棒部１４を固定する把持部固定用螺子１１が螺合される肋骨側雌螺子孔１０とを備えて構成した医療器具としたものである。
請求項６の発明は、固定側把持部７と移動側把持部８とは、固定側把持部７と移動側把持部８の何れか一方が肋骨側固定部材１の上方側に、固定側把持部７と移動側把持部８の何れか他方が肋骨側固定部材１の下方側にそれぞれ突出するように設けた医療器具としたものである。
請求項７の発明は、肋骨Ｒの上下両側に係合した状態の固定側把持部７の当接部１７の先端と移動側把持部８の当接部１５の先端との間には空間を有する構成とした医療器具としたものである。
請求項８の発明は、背骨側固定部材２は背骨Ｓ側にネジ３により直接固定される構成とし、背骨側固定部材２にはネジ３が螺合する背骨側雌螺子孔２５を設けた医療器具としたものである。
請求項９の発明は、背骨側固定部材２に螺合するネジ３は背骨側固定部材２または背骨用支持部材５に対して屈曲あるいは回転自在に構成した医療器具としたものである。
請求項１０の発明は、固定側把持部７と移動側把持部８は基部の直線状の軸棒部と、先端の円弧状の当接部を有して形成し、当接部の一部は軸棒部と同径あるいは軸棒部の径よりも幅広形状に形成した医療器具としたものである。
請求項１１の発明は、固定側把持部７の当接部は、肋骨側固定部材１の長さ方向に対して先端に至るに従い傾斜させ、当接部の肋骨側固定部材１に対する傾斜角度を肋骨側固定部材１の長さ方向の一方側から他方側に向けて相違するものを複数種類用意し、選択的に肋骨側固定部材１に取付ける構成とした医療器具としたものである。
請求項１２の発明は、背骨用支持部材５は、直径の相違する複数種類のものを用意し、この直径の相違する背骨用支持部材５に対応するように背骨固定部４０の溝部４２の大きさを相違させた背骨側固定部材２を複数種類用意し、この背骨側固定部材２に肋骨側固定部材１を適宜選択的に組み合わせて取付可能に構成した医療器具としたものである。
請求項１３の発明は、固定側把持部７と移動側把持部８とは、互いに形状の相違するものを複数種類用意し、選択的に肋骨側固定部材１に取付ける構成とした医療器具としたものである。
請求項１４の発明は、背骨用支持部材５は背骨Ｓの左右何れか一方側または両側に設け、肋骨側固定部材１と背骨側固定部材２により構成した固定具Ｋを、背骨用支持部材５に一つまたは複数上下に並設して構成した医療器具としたものである。
請求項１５の発明は、背骨用支持部材５は背骨の左右両側に設け、各背骨用支持部材５には固定具Ｋを上下に複数並設し、左右の固定具Ｋは同じ高さ位置または上下にずらして設けた医療器具としたものである。
請求項１６の発明は、背骨用支持部材５は背骨Ｓの両側に平行状態に少なくとも左右一対設け、左右の背骨用支持部材５は固定具Ｋ’の背骨固定部４０を介して互いに連結する構成とし、左右の背骨用支持部材５の何れか一方または両方には背骨用支持部材５の対向方向に対し外向きに固定具Ｋの背骨側固定部材２を固定状態に取付けた医療器具としたものである。
【手続補正３】
【補正対象書類名】明細書
【補正対象項目名】０００６
【補正方法】変更
【補正の内容】
【０００６】
請求項１の発明では、背骨Ｓ側に固定可能な背骨側固定部材２と、肋骨Ｒ側に固定される肋骨側固定部材１とを横向きＴ型形状に配置して構成しているので、肋骨Ｒと背骨Ｓとの二カ所にて、背骨Ｓを支持することができ、背骨Ｓに掛かる荷重負担を分散させることができ、背骨Ｓの変形や弯曲矯正を効果的に行うことができ、さらに、横向きＴ型形状に配置した肋骨側固定部材１により背骨Ｓから横方向に離れた肋骨Ｒを支持できるので、一層、左右方向の広い部分に背骨Ｓに掛かる荷重負担を分散させることができ、しかも、背骨側固定部材２と肋骨側固定部材１との支持姿勢を横向きＴ型形状にするので、強固に安定して支持でき、特に、前屈姿勢の矯正の効果を向上させることができる。
請求項２の発明は、肋骨側固定部材１の部位には、背骨側固定部材２に設けた横方向に長い挿入部３６を移動自在に挿入しうる横方向に長い挿入孔３５と、挿入部３６を固定する固定螺子３７とを設け、固定螺子３７により背骨側固定部材２に対して所定位置にて肋骨側固定部材１を固定しうる構成としたので、肋骨Ｒと背骨Ｓとの二カ所にて、背骨Ｓを支持することができ、背骨Ｓに掛かる荷重負担を分散させることができ、肋骨側固定部材１により背骨Ｓから横方向に離れた肋骨Ｒを支持できるので、一層、左右方向の広い部分に背骨Ｓに掛かる荷重負担を分散させることができる。
請求項３の発明では、肋骨側固定部材１には、肋骨側固定部材１を挟んで上下にそれぞれ突き出でるように固定側把持部７と移動側把持部８とを設けているので、肋骨Ｒを上下両側の２点のみで支持することができ、しかも、肋骨側固定部材１の本体が肋骨Ｒの裏側に位置して支持することができ、肋骨Ｒの支持強度を向上させられ、これにより、背骨Ｓの支持全般を強固にでき、さらに、外科手術自体を容易にすると共に、外科手術の侵襲性を低下させることができ、患者の負担を軽減することができる。
請求項４の発明では、肋骨側固定部材１に設けた固定側把持部７と移動側把持部８とは、その先端の当接部を肋骨Ｒの断面形状に合わせた円弧形状に形成しているので、肋骨Ｒの形状に合わせて肋骨Ｒを固定支持することができ、肋骨Ｒの支持強度を向上させられ、これにより、背骨Ｓの支持全般を強固にできる。
請求項５の発明では、背骨側固定部材２と反対側の肋骨側固定部材１には、移動側把持部８の軸棒部１４が嵌合する溝部２０と、該溝部２０に嵌合させた移動側把持部８の軸棒部１４を固定する把持部固定用螺子１１が螺合される肋骨側雌螺子孔１０とを備えて構成しているので、移動側把持部８の位置合わせおよび固定が容易にでき、肋骨Ｒの支持強度を向上させられ、これにより、背骨Ｓの支持全般を強固にでき、さらに、外科手術自体を容易にすると共に、外科手術の侵襲性を低下させることができ、患者の負担を軽減することができる。
請求項６の発明では、固定側把持部７と移動側把持部８とは、固定側把持部７と移動側把持部８の何れか一方が肋骨側固定部材１の上方側に、固定側把持部７と移動側把持部８の何れか他方が肋骨側固定部材１の下方側にそれぞれ突出するように設けたているので、肋骨Ｒを上下両側の２点のみで支持することができ、しかも、肋骨側固定部材１の本体が肋骨Ｒの裏側に位置して支持することができ、肋骨Ｒの支持強度を向上させられ、これにより、背骨Ｓの支持全般を強固にでき、さらに、外科手術自体を容易にすると共に、外科手術の侵襲性を低下させることができ、患者の負担を軽減することができる。
請求項７の発明では、肋骨Ｒの上下両側に係合した状態の固定側把持部７の当接部１７の先端と移動側把持部８の当接部１５の先端との間には空間を有する構成としているので、肋骨Ｒを上下両側の２点のみで支持することができ、外科手術自体を容易にすると共に、外科手術の侵襲性を低下させることができ、患者の負担を軽減することができる。
請求項８の発明では、背骨側固定部材２は背骨Ｓ側にネジ３により直接固定される構成とし、背骨側固定部材２にはネジ３が螺合する背骨側雌螺子孔２５を設けているので、背骨側固定部材２を、ネジ３による背骨Ｓ側への直接固定と、背骨用支持部材５への固定とを選択して行うことができ、しかも、背骨側固定部材２の背骨Ｓ側への固定を容易に行うことができる。
請求項９の発明では、背骨側固定部材２に螺合するネジ３は背骨側固定部材２または背骨用支持部材５に対して屈曲あるいは回転自在に構成しているので、背骨側固定部材２または背骨用支持部材５への固定を容易に行うことができる。
請求項１０の発明では、固定側把持部７と移動側把持部８は基部の直線状の軸棒部と、先端の円弧状の当接部を有して形成し、当接部の一部は軸棒部の径と同径あるいは幅広形状に形成しているので、どの部分の肋骨Ｒであっても固定支持できて、肋骨Ｒの支持強度を向上させられ、これにより、背骨Ｓの支持全般を強固にできる。
請求項１１の発明では、固定側把持部７の当接部は、肋骨側固定部材１の長さ方向に対して先端に至るに従い傾斜させ、当接部の肋骨側固定部材１に対する傾斜角度を肋骨側固定部材１の長さ方向の一方側から他方側に向けて相違するもの複数種類用意し、選択的に肋骨側固定部材１に取付ける構成としているので、どの部分の肋骨Ｒであっても固定支持できて、肋骨Ｒの支持強度を向上させられ、これにより、背骨Ｓの支持全般を強固にできる。
請求項１２の発明では、前記背骨用支持部材５は、直径の相違する複数種類のものを用意し、この直径の相違する背骨用支持部材５に対応するように背骨固定部４０の溝部４２の大きさを相違させた背骨側固定部材２を複数種類用意し、この背骨側固定部材２に肋骨側固定部材１を適宜選択的に組み合わせて取付可能に構成しているので、種々の直径の相違する背骨用支持部材５に肋骨側固定部材１の取付が可能となって、汎用性を向上させることができる。
請求項１３の発明では、前記固定側把持部７と移動側把持部８との形状の相違するものを複数種類用意し、選択的に肋骨側固定部材１に取付ける構成としているので、汎用性を向上させることができる。
請求項１４の発明では、背骨用支持部材５は、背骨Ｓの左右何れか一方側または両側に設け、前記肋骨側固定部材１と背骨側固定部材２により構成した固定具Ｋを、背骨用支持部材５に一つまたは複数上下に並設して構成しているので、
種々の背骨Ｓの椎体および肋骨Ｒの状態に適合させて本発明の医療器具を装着でき、汎用性を向上させることができる。
請求項１５の発明では、背骨用支持部材５は背骨Ｓの左右両側に設け、各背骨用支持部材５には前記固定具Ｋを上下に複数並設し、左右の固定具Ｋは同じ高さ位置または上下にずらして設けているので、種々の背骨および肋骨の状態であっても、選択して本発明の医療器具を取り付けることができ、汎用性を向上させることができる。
請求項１６の発明では、背骨用支持部材５は背骨Ｓの両側に平行状態に少なくとも左右一対設け、左右の背骨用支持部材５は固定具Ｋ’の背骨固定部４０を介して互いに連結する構成とし、左右の背骨用支持部材５の何れか一方または両方には背骨用支持部材５の対向方向に対し外向きに固定具Ｋの背骨側固定部材２を固定状態に取付けているので、種々の背骨Ｓの椎体および肋骨Ｒの状態に適合させて本発明の医療器具を装着でき、汎用性を向上させることができる。